(57)【要約】    【課題】  特別な拡大操作を行うことなく、ページめくり画面上でページの内容を容易に判別することができ、大量の文書の中から目的の文書を探し出す探索作業を効率化することができるようにする。    【解決手段】  カレントページ及びこれに隣接するページの画像を並べて表示するページめくり画面上で、カレントページの画像４１ａを他のページの画像４１ｂ〜４１ｇよりも拡大して表示させる。特に複数のページごとの画像について、カレントページを最大とする複数の縮尺で、遠近法による立体的な表示を行なう。【選択図】    図２
2007066130.tif 000002
【特許請求の範囲】
【請求項１】
文書に含まれるページの画像を画面表示する表示手段と、この表示手段でのページの画像の表示出力を指示する操作手段と、この操作手段による指示入力に基づいて、前記表示手段でのページの画像の表示出力を制御する表示制御手段とを有し、
この表示制御手段は、前記表示手段において、カレントページ及びこれに隣接するページの画像を並べて表示するページめくり画面上で、前記カレントページの画像を他のページの画像よりも拡大して表示させることを特徴とする文書処理装置。
【請求項２】
前記表示制御手段は、前記ページめくり画面上で、複数のページごとの画像について、カレントページを最大とする複数の縮尺で、遠近法による立体的な表示を行なうことを特徴とする請求項１に記載の文書処理装置。
【請求項３】
ページめくりの対象となる文書に含まれる複数のページの中から所定の検索条件に適合する重要ページを抽出する重要ページ検索手段をさらに有し、
前記表示制御手段は、前記重要ページ検索手段で抽出されたページの画像を、前記ページめくり画面上で他のページと識別可能に表示させることを特徴とする請求項１に記載の文書処理装置。
【請求項４】
前記表示制御手段は、前記ページめくり画面を所定の速度で更新する自動ページめくり動作の最中に、前記検索処理手段で抽出された重要ページが前記ページめくり画面上に表示されると、前記ページめくり画面の更新速度を遅くすることを特徴とする請求項３に記載の文書処理装置。
【請求項５】
ページめくり画面上で目的の文書と予測されるページに対して行われる前記操作手段による指定操作に応じて、該当するページを候補ページとして保存登録する候補ページ保存手段をさらに有することを特徴とする請求項１に記載の文書処理装置。
【請求項６】
前記ページめくり画面上で指定された文書と関連する文書を抽出する関連文書検索手段をさらに有し、
前記表示制御手段は、前記関連文書検索手段により抽出された文書を画像表示した関連文書画面を前記表示手段に表示させることを特徴とする請求項１に記載の文書処理装置。
【請求項７】
前記表示制御手段は、前記関連文書画面上に、前記関連文書検索手段により抽出された文書相互の関係をツリー構造で表示させることを特徴とする請求項６に記載の文書処理装置。
【請求項８】
前記関連文書検索手段は、各関連文書ごとの関連性の度合いを算出し、
前記表示制御手段は、前記関連文書画面上に、関連文書の関連性の度合いの高低を識別可能に表示させることを特徴とする請求項６に記載の文書処理装置。
【発明の詳細な説明】
【技術分野】
【０００１】
本発明は、蓄積手段に蓄積された大量の文書の中から目的の文書を探し出す探索作業を支援する文書処理装置に関するものである。
【背景技術】
【０００２】
紙書類を電子化して保管する電子ファイリングシステムを始めとして、コンピュータを利用して大量の文書データを管理する文書管理システムが広く普及している。この種の文書管理システムでは、蓄積装置に蓄積された大量の文書の中から目的の文書を探し出す探索作業を支援するために種々の検索機能を備えているが、最終的に目的の文書か否かの判別は、文書に含まれるページの画像を実際に画面表示させて行うことになる。
【０００３】
この場合、文書に含まれるページの画像を順次画面に表示させるページめくり機能により、目的の文書を探し出す探索作業を効率化することができ、特にページめくり画面上で前後のページの画像を並べて表示させるようにすると、文書の判別が容易になる。
【０００４】
このようなページめくり機能としては、例えば画面上にページごとの画像を一部重なった状態で並べて表示し、ユーザが目的とする文書と思われるページ画像を選択すると、そのページ画像が最前面に表示されるようにした技術が知られている（特許文献１参照）。ここでは、別のページ画像の背面側に一部隠れていたページ画像が最前面に表示されるため、ページ画像が見易くなり、さらに拡大の操作を行うことでページ画像が拡大表示されるため、ページの内容を詳細に見ることができる。
【特許文献１】特開平６−４５９３号公報
【発明の開示】
【発明が解決しようとする課題】
【０００５】
しかるに、前記従来の技術では、ページめくり画面上に複数のページ画像を並べて表示させる都合上、ページ画像が比較的小さく表示されるため、ページの内容を容易に判別することができない場合があり、またページ画像を拡大表示させるにしても、それにはページめくり操作とは別の拡大操作が必要になり、使い勝手が良くないという問題がある。
【０００６】
また、ページめくり機能を利用して目的の文書を探し出す探索作業の最中に、ページめくり画面上に表示された文書と関連する文書を呼び出して、その内容を確認したいというという要望もある。
【０００７】
本発明は、このような従来技術の問題点を解消するべく案出されたものであり、その主な目的は、特別な拡大操作を行うことなく、ページめくり画面上でページの内容を容易に判別することができ、大量の文書の中から目的の文書を探し出す探索作業を効率化することができるように構成された文書処理装置を提供することにある。さらに、本発明は、ページめくり画面上に表示された文書と関連する文書を簡単に探し出して確認することができる文書処理装置を提供することも目的としている。
【課題を解決するための手段】
【０００８】
このような課題を解決するために、本発明による文書処理装置においては、請求項１に示すとおり、文書に含まれるページの画像を画面表示する表示手段と、この表示手段でのページの画像の表示出力を指示する操作手段と、この操作手段による指示入力に基づいて、前記表示手段でのページの画像の表示出力を制御する表示制御手段とを有し、この表示制御手段は、前記表示手段において、カレントページ及びこれに隣接するページの画像を並べて表示するページめくり画面上で、前記カレントページの画像を他のページの画像よりも拡大して表示させるものとした。
【０００９】
これによると、ページめくり画面上でカレントページの画像が拡大表示されるため、特別な拡大操作を行うことなくページの内容を容易に判別することができ、探索作業の効率化を図ることができる。
【００１０】
この場合、ページめくり画面は、画面更新によりページ画像が次ページに進んだり前ページに戻ったりするページめくり動作を行い、ページの配列順番にしたがった正順でページめくりを行う場合には、カレントページ画像が次ページに変化するのに応じて、他のページ画像も次ページに変化し、また、ページの配列順番と相反する逆順でページめくりを行う場合には、カレントページ画像が前ページに変化するのに応じて、他のページ画像も前ページに変化する。特定のページに注目すると、画面更新に伴ってそのページ画像が表示位置を順次ずらしながら表示される。
【００１１】
また、ページめくりの対象となるページは、１つの文書ファイルに含まれるページの他、複数の文書ファイルに含まれるページでも良く、このとき、ページめくり画面では、各文書ファイルに含まれるページを連続して表示させるようにすれば良い。
【００１２】
また、ページめくり画面を更新して所定ページ数ずつ（例えば１ページずつ）進めたり戻したりするページめくり動作を、所定の速度で自動で行わせるようにすると良い。このとき、ページめくり画面の更新速度を調整することができるように構成すると良い。なお、ページめくり動作を、オペレータのページめくり操作に応じて手動で行わせることも可能である。
【００１３】
また、表示制御手段は、適宜な蓄積手段に蓄積された文書データに基づいてページめくり画面上にページ画像を表示させるが、この文書データを蓄積する蓄積手段としては、本文書処理装置内の蓄積装置の他、文書処理装置とネットワーク接続された共有サーバ内の蓄積装置としても良く、この場合、文書処理装置では共有サーバから所要の文書データを取得してページ画像を表示させる。
【００１４】
前記文書処理装置においては、請求項２に示すとおり、前記表示制御手段は、前記ページめくり画面上で、複数のページごとの画像について、カレントページを最大とする複数の縮尺で、遠近法による立体的な表示を行なう構成とすることができる。これによると、カレントページを中心にした複数のページの画像に基づいて行われる文書の判別作業が容易になる。
【００１５】
この場合、最も大きく表示されるカレントページが最も近くに位置し、このカレントページの前後のページは、カレントページに近づくにしたがって次第に大きくなり、またカレントページから遠ざかるにしたがって次第に小さくなるように表示される。
【００１６】
前記文書処理装置においては、請求項３に示すとおり、ページめくりの対象となる文書に含まれる複数のページの中から所定の検索条件に適合する重要ページを抽出する重要ページ検索手段をさらに有し、前記表示制御手段は、前記重要ページ検索手段で抽出されたページの画像を、前記ページめくり画面上で他のページと識別可能に表示させる構成とすることができる。これによると、ページめくり画面上で検索条件に適合する重要ページに注目して文書の判別作業を行うことができるため、目的の文書を探し出す探索作業を効率良く行うことができる。
【００１７】
この場合、重要ページでは、ページ画像の強調表示、例えばページ画像の周囲に赤色などの彩色が施された枠を表示したり、またページ画像全体を点滅させるなどの表示処理を行うようにすると良い。
【００１８】
また、重要ページ検索では、操作手段により検索条件、例えばテキストデータやイメージデータを入力指定させ、ページめくりの対象となる文書に含まれるページの中から、検索条件としてのテキストデータやイメージデータを含むページを重要ページとして抽出するようにすれば良い。
【００１９】
前記文書処理装置においては、請求項４に示すとおり、前記表示制御手段は、前記ページめくり画面を所定の速度で更新する自動ページめくり動作の最中に、前記検索処理手段で抽出された重要ページが前記ページめくり画面上に表示されると、前記ページめくり画面の更新速度を遅くする構成とすることができる。これによると、重要ページ及びその前後のページの画像表示時間が長くなるため、重要ページの画像及びその前後のページの画像を丁寧に見ることができる。
【００２０】
前記文書処理装置においては、請求項５に示すとおり、ページめくり画面上で目的の文書と予測されるページに対して行われる前記操作手段による指定操作に応じて、該当するページを候補ページとして保存登録する候補ページ保存手段をさらに有する構成とすることができる。これによると、ページめくり画面上で目的の文書と予測される候補ページを拾い上げて後にページの内容を詳細に確認することができ、利便性が向上する。
【００２１】
この場合、保存登録された候補ページの画像を一覧表示させる候補保存画面をページめくり画面と同時に表示させ、ページめくりの最中に保存登録された候補ページを確認することができるようにすると良い。さらに、その候補保存画面上でページを指定すると、該当ページの画像が拡大表示されるようにすると良く、これによりページ内容の確認作業を効率良く行うことができる。
【００２２】
前記文書処理装置においては、請求項６に示すとおり、前記ページめくり画面上で指定された文書と関連する文書を抽出する関連文書検索手段をさらに有し、前記表示制御手段は、前記関連文書検索手段により抽出された文書を画像表示した関連文書画面を前記表示手段に表示させる構成とすることができる。これによると、ページめくり画面上で目的の文書を探し出す文書探索作業の途中で、ページめくり画面上に表示された文書と関連する文書の確認作業を簡単に行うことができ、利便性が向上する。
【００２３】
この場合、ページめくり画面上に関連文書画面を呼び出すボタンを設けると良く、これにより簡単な操作で関連文書の確認作業に移行することができる。
【００２４】
また、関連文書検索では、文書相互の関連性に関する情報をデータベースに予め登録しておき、この関連性に関する情報を参照して、ページめくり画面上で指定された親文書と関連する文書を抽出するようにすれば良い。また、文書ごとに予め付与された文書属性データ、例えばキーワードや全文テキストデータを参照して、親文書に対する関連性の度合い（例えばヒット率）の高い文書を抽出するようにすれば良い。
【００２５】
前記文書処理装置においては、請求項７に示すとおり、前記表示制御手段は、前記関連文書画面上に、前記関連文書検索手段により抽出された文書相互の関係をツリー構造で表示させる構成とすることができる。これによると、文書相互の関連性を直感的に認識することができ、使い勝手が向上する。
【００２６】
この場合、ページめくり画面で指定された文書が、ツリー構造上でルート文書となり、そのルート文書に直接関連する関連文書、さらにその関連文書に関連する関連文書が、順次表示される。
【００２７】
前記文書処理装置においては、請求項８に示すとおり、前記関連文書検索手段は、各関連文書ごとの関連性の度合いを算出し、前記表示制御手段は、前記関連文書画面上に、関連文書の関連性の度合いの高低を識別可能に表示させる構成とすることができる。これによると、ヒット率などの関連性の度合いを参考にして関連文書を調べることができるため、関連文書の確認作業をより一層効率化することができる。
【発明の効果】
【００２８】
このように本発明によれば、ページめくり画面上でカレントページの画像が拡大表示されるため、特別な拡大操作を行うことなくページの内容を容易に判別することができ、大量の文書の中から目的の文書を探し出す探索作業を効率化してオペレータの作業負担を軽減するという優れた効果を奏するものである。
【発明を実施するための最良の形態】
【００２９】
以下、本発明の実施の形態を、図面を参照しながら説明する。
【００３０】
図１は、本発明が適用された文書管理システムを示すブロック図である。この文書管理システムは、ユーザ端末（文書処理装置）１と、サーバ２と、スキャナ３及び複合機４とを有しており、スキャナ３及び複合機４にて紙文書の読み取りが行われ、これにより生成した文書データがサーバ２に蓄積され、ユーザ端末１ではサーバ２にアクセスすることで文書を閲覧することができる。
【００３１】
文書データには、１つのファイル内に複数ページを格納可能なマルチページ方式が可能なＴＩＦＦやＰＤＦ、あるいは独自のファイルフォーマットが採用される。
【００３２】
なお、ユーザ端末１において自装置内の蓄積装置に文書データを蓄積して文書を閲覧するようにすることも可能である。また、この文書管理システムでは、スキャナ３や複合機４での紙媒体の読み取りにより生成した文書データの他、適宜な文書作成アプリケーションにて作成された文書データを管理対象とすることも可能である。
【００３３】
ユーザ端末１は、主制御部１１と、表示制御部（表示制御手段）１２と、表示装置（表示手段）１３が接続される表示インタフェース１４と、キーボード（操作手段）１５及びマウス（操作手段）１６が接続される入力インタフェース１７と、ネットワーク制御部１８と、文書属性入力処理部２１と、文書絞込検索部２２と、重要ページ検索部（重要ページ検索手段）２３と、関連文書検索部（関連文書検索手段）２４と、候補ページ保存部（候補ページ保存手段）２５とを有している。
【００３４】
表示制御部１２は、サーバ２に蓄積された文書を閲覧する際に、サーバ２から取得した文書データに基づいて文書内の各ページの画像を表示装置１３に表示させるための画面データを生成し、特にここでは、文書内のページを順次表示させるページめくり画面を生成し、またページめくり画面上で指定した文書と関連する文書を表示する関連文書画面を生成する。
【００３５】
文書属性入力処理部２１は、後述する文書絞込検索、重要ページ検索、関連文書検索の各検索処理での指標となるキーワードや、文書相互の関連性に関する情報などの文書属性データを、文書登録時に、キーボード１５及びマウス１６を用いてユーザに入力させるものであり、ここで取得した文書属性データがサーバ２に送られてデータベースに登録される。
【００３６】
文書絞込検索部２２は、ユーザにより指定された検索条件にしたがってページめくりの対象とする文書を予め絞り込むものであり、サーバ２に蓄積された文書の中から検索条件に適合する文書が抽出される。この文書絞込検索部２２では、文書管理の階層構造に基づいて検索条件に適合する文書を抽出する階層検索、予め作成されたインデックス情報に基づいて検索条件に適合する文書を抽出するインデックス検索、文書全体のテキストデータに基づいて検索条件に適合する文書を抽出する全文検索などの検索処理が行われる。
【００３７】
重要ページ検索部２３は、ページめくりの対象となる文書に含まれる複数のページの中から所定の検索条件に適合する重要ページを抽出するものであり、後述するように重要ページ検索部２３で抽出されたページの画像をページめくり画面上で他のページと識別可能に表示せる処理が表示制御部１２にて行われる。
【００３８】
この重要ページ検索では、キーボード１５及びマウス１６により、検索条件、例えばテキストデータやイメージデータが入力指定され、ページめくりの対象となる文書に含まれるページの中から、検索条件としてのテキストデータやイメージデータを含むページが重要ページとして抽出される。
【００３９】
関連文書検索部２４は、ユーザにより指定された文書と関連する文書を抽出するものであり、後述するように関連文書検索部２４で抽出された文書を画像表示した関連文書画面を表示装置１３に表示させる処理が表示制御部１２にて行われる。特にここでは、ページめくり画面上のカレントページとして表示されたページを含む文書を親文書として関連文書検索が行われる。なお、マウス１６などによりページめくり画面上でページを指定することで、そのページを含む文書を親文書として関連文書検索を行うように構成することも可能である。
【００４０】
この関連文書検索部２４では、文書登録時に予めサーバ２のデータベースに登録された文書相互の関連性に関する情報に基づいて、関連文書の抽出が行われる。
【００４１】
また、この関連文書検索部２４では、文書に付与されたキーワード（テキストデータ）などの文書属性データに基づいて、サーバ２に蓄積された各文書について親文書に対するヒット率を算出し、これにより算出されたヒット率の高い文書を関連文書として抽出する処理が行われる。このヒット率に基づく関連文書の抽出処理は、文書相互の関連性に関する情報が予めデータベースに登録されていない場合に行うようにすると良い。なお、文書に含まれるイメージデータ相互の類似度でヒット率を算出することも可能である。
【００４２】
候補ページ保存部２５は、ページめくり画面上で目的の文書と予測されるページに対して行われるマウス１６による登録操作に応じて、該当するページを候補ページとして保存登録するものであり、これにより拾い上げられた候補ページの内容を後に詳細に確認することができる。
【００４３】
これら表示制御部１２、文書属性入力処理部２１、文書絞込検索部２２、重要ページ検索部２３、関連文書検索部２４、及び候補ページ保存部２５の各部は、ユーザ端末１を構成するＰＣなどの情報処理装置に導入されたアプリケーションプログラムをＣＰＵで実行させることで実現される。
【００４４】
サーバ２は、主制御部３１と、蓄積装置（蓄積手段）３２と、ネットワーク制御部３３と、ＯＣＲ処理部３４と、文書蓄積管理部３５とを有している。
【００４５】
蓄積装置３２では、スキャナ３及び複合機４にて行われる紙文書の読み取りにより生成した文書データが蓄積され、また文書を管理するための属性情報などが登録されるデータベースが構築されている。
【００４６】
文書蓄積管理部３５は、蓄積装置３２に対するデータの出し入れの管理するものであり、スキャナ３及び複合機４あるいはユーザ端末１から送られる文書データを受け取って蓄積装置３２に蓄積する処理、ユーザ端末１の文書属性入力処理部２１にて取得した文書属性データを受け取ってデータベースに登録する処理などが行われる。
【００４７】
ＯＣＲ処理部３４は、スキャナ３などでの紙文書の読み取りにより生成したイメージデータをＯＣＲによりテキストデータに変換処理するものであり、文書登録時などに変換処理を実行して、得られたテキストデータが蓄積装置３２のデータベースに登録され、このテキストデータは、ユーザ端末１の文書絞込検索部２２、重要ページ検索部２３、及び関連文書検索部２４で行われる検索処理に用いられる。
【００４８】
図２及び図３は、図１に示したユーザ端末の表示装置に表示されるページめくり画面を示している。このページめくり画面では、中心となるカレントページの画像４１ａ及びこれに隣接する他のページの画像４１ｂ〜４１ｇが並べて同時に表示される。各ページごとの画像４１ａ〜４１ｇは、そのページのイメージデータを表示に適したサイズに圧縮したものであり、ページめくり画面上でページの内容を大まかに判別することができる。
【００４９】
このページめくり画面は、画面更新によりページ画像が次ページに進んだり前ページに戻ったりするページめくり動作を行い、ページの配列順番にしたがった正順でページめくりを行う場合には、カレントページの画像４１ａが次ページに変化するのに応じて、他のページの画像４１ｂ〜４１ｇも次ページに変化し、また、ページの配列順番と相反する逆順でページめくりを行う場合には、カレントページの画像４１ａが前ページに変化するのに応じて、他のページの画像４１ｂ〜４１ｇも前ページに変化する。特定のページに注目すると、画面更新に伴ってそのページの画像が表示位置を順次ずらしながら表示される。
【００５０】
特にこのページめくり画面では、カレントページの画像４１ａがこれに隣接する他のページの画像４１ｂ〜４１ｇよりも拡大して表示され、特別な拡大操作を行うことなく、ページめくり画面上でカレントページの内容を容易に判別することができ、目的の文書を探し出す探索作業を効率良く行うことができる。
【００５１】
さらにこのページめくり画面では、複数のページごとの画像４１ａ〜４１ｇについて、カレントページの画像４１ａを最大とする複数の縮尺で、遠近法による立体的な表示が行われる。すなわち、最も大きく表示されるカレントページの画像４１ａが最も近くに位置し、このカレントページの前後のページの画像４１ｂ〜４１ｇは、カレントページに近づくにしたがって次第に大きくなり、またカレントページから遠ざかるにしたがって次第に小さくなるように表示される。これによりカレントページを中心にした文書の判別作業を容易に行うことができる。
【００５２】
特にこのページめくり画面では、カレントページの後側のページ（ｎ＋１〜ｎ＋４までの４ページ）の画像４１ａ〜４１ｅが、カレントページの画像４１ａの上方に配置され、また、カレントページの前側のページ（ｎ−１、ｎ−２の２ページ）の画像４１ｆ・４１ｇが、カレントページの画像４１ａの側方に配置され、ページの配列順番にしたがった正順でページめくりを行う場合には、ページめくり画面の最上部に新たに出現したページが、画面更新に伴って、カレントページに向かって下方に移動しながら徐々に拡大表示され、カレントページとして表示された後、側方に移動しながら徐々に縮小表示されて、ついにはページめくり画面から消滅する。ページの配列順番と相反する逆順でページめくりを行う場合には、前記の正順でページめくりを行う場合と逆向きにページが移動する。
【００５３】
このページめくり画面では、文書絞込検索部２２での検索処理により絞り込まれたページめくりの対象となる文書（文書ファイル）が１つの場合には、その文書に含まれるページの画像が順番に表示され、またページめくりの対象となる文書（文書ファイル）が複数の場合には、それらの文書に含まれるページの画像が連続して表示される。
【００５４】
また、このページめくり画面では、画面を更新して１ページずつ進めたり戻したりするページめくり動作を所定の速度で自動で行わせることができ、この自動ページめくり動作は、ページめくり画面の下部に設けられたページめくりボタン４２で開始させることができ、このページめくりボタン４２は、自動ページめくりが開始されると表示がＯＫからＳＴＯＰに切り替わり、自動ページめくり中にページめくりボタン４２を操作することで自動ページめくりが停止する。
【００５５】
ページめくりボタン４２の両側には、押下状態がトグル式に切り替わる正転ボタン（＋）４３及び逆転ボタン４４（−）が設けられており、正転ボタン４３を押下した上でページめくりボタン４２を操作すると、ページの配列順番にしたがった正順でページめくりが実行され、逆転ボタン４４を押下した上でページめくりボタン４２を操作すると、ページの配列順番と相反する逆順でページめくりが実行される。
【００５６】
ページめくりボタン４２の側方には、ページめくり画面の更新速度を調整するスライダ４５が設けられており、このスライダ４５を左右に移動操作することで、ページめくり画面の更新速度を任意に調整することができる。
【００５７】
また、このページめくり画面では、重要ページ検索部２３で抽出された重要ページの画像（ここではｎ＋１ページの画像４１ｂ）が、そのページ画像の周囲の太枠により他のページと識別可能に強調表示されており、これによりページめくり画面上で検索条件に適合する重要ページに注目して文書の判別作業を行うことができるため、目的の文書を探し出す探索作業を効率良く行うことができる。
【００５８】
なお、この他に、ページ画像の周囲の枠に赤色などの彩色を施したり、あるいはページ画像全体を点滅させるなど、種々の強調表示が可能である。
【００５９】
重要ページ検索部２３で行われる重要ページ検索での検索条件の入力は、検索条件ウィンドウ５１で行われる。図２に示す例では、キーワード（テキストデータ）を検索条件として入力するようになっており、キーボード１５を用いて検索条件ウィンドウ５１内の検索条件入力欄５２に検索条件としてのキーワードとなる文字列を入力してＯＫボタン５３を操作すると、重要ページ検索部２３でキーワードと一致するページが重要ページとして抽出され、その重要ページの画像がページめくり画面上で強調表示される。
【００６０】
図３に示す例では、イメージデータを検索条件として入力するようになっており、マウス１６によるコピーアンドペースト操作などにより検索条件としてのイメージデータ（ここでは印影）を設定し、さらに上・中・下・右・左の各選択肢が表示されるプルダウンメニュー５４で、ページ上の検索対象エリアの位置を指定してＯＫボタン５３を操作すると、パターンマッチングなどの手法により、入力したイメージデータが指定の検索対象エリアに存在するページが重要ページとして抽出され、その重要ページの画像がページめくり画面上で強調表示される。
【００６１】
また、ページめくり画面を所定の速度で更新する自動ページめくり動作の最中に、重要ページ検索部２３で抽出された重要ページがページめくり画面上に画像表示されると、ページめくり画面の更新速度を遅くするようになっており、これにより重要ページ及びその前後のページの画像表示時間が長くなるため、重要ページの画像及びその前後のページの画像を丁寧に見ることができる。
【００６２】
なお、重要ページがページめくり画面上に画像表示された後に、重要ページがカレントページに対して所定ページ数以内に近づいた段階で、ページめくり画面の更新速度を遅くするようにしても良い。
【００６３】
また、このページめくり画面には、この画面上で目的の文書と予測されるページを選択登録する候補保存ウィンドウ６１が同時に表示され、これによりページめくり画面上で拾い上げた複数のページを後にまとめて内容を詳細に確認することができる。
【００６４】
この候補保存ウィンドウ６１では、マウス１６によりページめくり画面上のページ画像を候補保存ウィンドウ６１内へドラッグアンドドロップ操作するなどの登録操作により、候補ページ保存部２５にて候補ページの登録保存処理が行われて、ページめくり画面上の所要のページが候補ページとして候補保存ウィンドウ６１に表示される。
【００６５】
この候補保存ウィンドウ６１には、登録保存された候補ページの画像６２が並べて一覧表示され、この候補ページの画像６２をマウス１６によるダブルクリック操作などにより選択指定すると、該当するページの画像を拡大表示するウィンドウが画面表示され、これによりページの内容を詳細に確認することができる。
【００６６】
また、ページめくり画面には、関連文書の抽出を関連文書検索部２４に実行させて、その関連文書を一覧表示する関連文書画面（図６及び図７参照）を呼び出す関連検索ボタン４６が設けられており、ページめくり画面で所要のページ（例えば強調表示されたｎ＋１）がカレントページとなった状態で、関連検索ボタン４６を操作すると、そのページを含む文書（例えばｎ及びｎ＋１の２ページで構成される文書）を親文書とした関連文書が関連文書画面に表示され、簡単な操作で関連文書の確認作業に移行することができる。
【００６７】
図４及び図５は、図１に示したユーザ端末の表示装置に表示されるページめくり画面の別の例を示している。このページめくり画面では、前記図２及び図３に示したページめくり画面と同様に、複数のページごとの画像７１ａ〜７１ｉについて、カレントページの画像７１ａを最大とする複数の縮尺で、遠近法による立体的な表示が行われているが、ここではページごとの画像７１ａ〜７１ｉの表示レイアウトが前記の例とは異なっている。
【００６８】
すなわちここでは、カレントページの前後のページの画像７１ｂ〜７１ｉが、カレントページの画像７１ａの左右に配置され、ページの配列順番にしたがった正順でページめくりを行う場合には、ページめくり画面の最左部に新たに出現したページが、画面更新に伴って、カレントページに向かって右方に移動しながら徐々に拡大表示され、カレントページとして表示された後、右方に移動しながら徐々に縮小表示されて、ついにはページめくり画面から消滅する。ページの配列順番と相反する逆順でページめくりを行う場合には、前記の正順でページめくりを行う場合と逆向きにページが移動する。
【００６９】
また、図４に示す例では、前記図２に示した例と同様に、キーワード（テキストデータ）を検索条件として入力するようになっており、図５に示す例では、前記図３に示した例と同様に、イメージデータを検索条件として入力するようになっている。
【００７０】
図６は、図１に示したユーザ端末の表示装置に表示される関連文書画面を示している。この関連文書画面（レファービュー１）では、予めデータベースに登録された文書相互の関連性に関する情報に基づいて関連文書検索部２４で抽出された関連文書が並べて表示され、特にここでは関連文書相互の関係が複数階層のツリー構造で表示され、文書相互の関連性を直感的に認識することができる。
【００７１】
ここでは、ページめくり画面上で指定された文書の画像８１がツリー構造上での親文書（ルート文書）として最も左側に表示され、その右側に、親文書と直接関連づけが行われた直接関連文書（関連１〜３）の画像８２が表示され、その右側に、直接関連文書に関連づけが行われた間接関連文書（関連２−１〜２−５）の画像８３が表示され、全体として３階層のツリー構造で表示されている。
【００７２】
各文書の画像８１・８２・８３では、最前面に先頭ページのイメージデータを表示に適したサイズに圧縮したサムネイル画像が表示され、関連文書画面上で文書の内容を大まかに判別することができ、特に直接関連文書の画像８２が、間接関連文書の画像８３より大きく表示されており、その内容確認をより容易に行うことができる。
【００７３】
この関連文書画面は、図２〜図５に示したページめくり画面上で関連検索ボタン４６を操作するのに応じて、ページめくり画面と切り替えて表示装置１３に表示され、ページめくり画面上で目的の文書を探し出す文書探索作業の途中で、ページめくり画面上に表示された文書と関連する文書の確認作業を簡単に行うことができる。
【００７４】
図７は、図１に示したユーザ端末の表示装置に表示される関連文書画面の別の例を示している。この関連文書画面（レファービュー２）では、予めデータベースに登録された文書属性データに基づくヒット率を基準にして関連文書検索部２４で抽出された関連文書が並べて表示され、特にここでは関連文書のヒット率の高低が識別可能に表示される、すなわち各関連文書の画像がヒット率の高いものほど大きく表示されており、これによりヒット率による関連性の度合いを参考にして関連文書を調べることができる。
【００７５】
ここでは、画面の左側に親文書の画像９１が表示され、右側に関連文書の画像９２が表示され、各画像９１・９２では、最前面に先頭ページのイメージデータを表示に適したサイズに圧縮したサムネイル画像が表示され、関連文書画面上で文書の内容を大まかに判別することができ、特にヒット率の高い関連文書の画像９２が大きく表示されるため、その内容確認をより容易に行うことができる。なお、関連文書のヒット率を画面上に文字表示することも可能である。
【００７６】
この関連文書画面は、前記図６に示した関連文書画面と同様に、図２〜図５に示したページめくり画面上で関連検索ボタン４６を操作するのに応じて、ページめくり画面と切り替えて表示装置１３に表示される。
【００７７】
図８は、図１に示した文書管理システムにおいて文書を登録する際の処理の手順を示すフロー図である。まず、スキャナ３や複合機４において紙文書の画像を読み取る処理が行われ（ステップ１０１）、ここで読み取った画像をユーザ端末１において表示装置１３に表示させて（ステップ１０２）、ユーザに読取不良などの不具合がないか確認を行わせ、ついで必要に応じてユーザに文書属性を入力させる処理が文書属性入力処理部２１にて行われる（ステップ１０３）。
【００７８】
次に文書データがスキャナ３や複合機４から直接、あるいはユーザ端末１を介してサーバ２に送られ、サーバ２の文書蓄積管理部３５の指示の元、ＯＣＲ処理部３４にて文書のイメージデータからテキストデータを抽出するＯＣＲ処理が行われ（ステップ１０４）、これにより取得したテキストデータと、イメージデータと、ユーザ端末１から取得した文書属性データとが蓄積装置３２に蓄積される（ステップ１０５）。
【００７９】
図９は、図１に示したユーザ端末でのページめくりに先だって行われる処理の手順を示すフロー図である。まず、ユーザ端末１においてページめくりの対象とする文書を絞り込むための検索条件を入力して文書絞込検索を指示する操作がユーザにより行われると（ステップ２０１）、この検索条件に適合する文書をサーバ２に蓄積された文書の中から抽出する処理が文書絞込検索部２２にて行われ（ステップ２０２）、この文書絞込検索の検索結果、すなわち検索条件に適合する文書のリストが表示装置１３に表示される（ステップ２０３）。
【００８０】
そしてユーザ端末１においてユーザによりページめくりを指示する操作が行われると（ステップ２０４）、ページめくり処理に進み、図２〜図５に示したページめくり画面が表示装置１３に表示される（ステップ２０５）。また文書絞込検索の検索条件に適合する文書のリスト上で１つの文書を選択指定する操作が行われると（ステップ２０４）、その文書の画像が表示装置１３に表示される（ステップ２０６）。
【００８１】
図１０及び図１１は、図９に示したページめくり処理の手順を示すフロー図である。まず、ユーザ端末１において図９に示した絞込検索での検索結果を取得し（ステップ３０１）、ついで図２〜図５に示したページめくり画面（ページ画像未表示）が表示装置１３に表示され、ユーザにより検索条件ウィンドウ５１で重要ページ検索の検索条件、すなわちキーワードまたはイメージを入力する操作が行われると（ステップ３０２）、その検索条件が設定保存される（ステップ３０３）。またスライダ４５により速度を調整する操作が行われると（ステップ３０２）、その速度が設定保存される（ステップ３０４）。
【００８２】
そしてページめくりボタン４２によりページめくりを開始させる操作が行われると（ステップ３０２）、予め設定されたページめくりの表示パターンに応じて（ステップ３０５）、画面レイアウトが作成され、ここでパターンＡの設定であれば図２・図３に示したパターンＡの画面レイアウトとなり（ステップ３０６）、パターンＢの設定であれば図４・図５に示したパターンＢの画面レイアウトとなる（ステップ３０７）。
【００８３】
次にページめくり画面上に同時に表示するページ数分の表示用ページ画像を作成する処理に進み、ここではまず、初期値をＮ＝１としてＮ番目のページのデータを取得し（ステップ３０８）、ついでこのＮ番目のページが重要ページ検索の検索条件に合致するか否かの判定が重要ページ検索部２３にて行われ（ステップ３０９）、ここで検索条件に合致する場合には、そのページ画像をページめくり画面上で強調表示させる処理を行った後（ステップ３１０）、該当するページのイメージデータを表示に適したサイズに圧縮した表示用ページ画像が作成される（ステップ３１１）。
【００８４】
この表示用ページ画像の作成処理が、ページめくり画面上に同時表示する全てのページについて終了していなければ（ステップ３１２）、順番Ｎを１増分して（ステップ３１３）、次の順番の表示用ページ画像の作成に進み、これがページめくり画面上に同時表示する全てのページについて終了するまで繰り返される。
【００８５】
そしてページめくり画面上に同時表示する全てのページについて表示用ページ画像が作成されると、ページめくり画面のレイアウトパターンにしたがって所要の位置に表示用ページ画像を配置した画面表示データが表示制御部１２にて生成されて表示装置１３にページめくり画面が表示される（ステップ３１４）。ここで、特にユーザの操作がないまま画面更新時間が経過すると（ステップ３１５）、ページめくり画面の先頭ページ数を１増分して（ステップ３１６）、１ページずらしたページめくり画面を表示させる処理に移行し、表示装置１３に表示されるページめくり画面が更新される。
【００８６】
他方、ページめくり画面の表示中に、ページめくりボタン４２による停止の操作が行われた後（ステップ３１５）、関連検索ボタン４６が操作されると（ステップ３１７）、関連文書検索部２４で関連文書検索が行われ、図６・図７に示した関連文書画面が表示装置１３に表示される（ステップ３１８）。またマウス１６による候補保存ウィンドウ６１内へのドラッグアンドドロップ操作が行われると、そのページを候補ページとして登録保存する処理が候補ページ保存部２５にて行われ、候補ページが候補保存ウィンドウ６１に表示される（ステップ３１９）。またページめくりボタン４２による開始の操作が行われると（ステップ３１７）、ページめくりが再開される（ステップ３２０）。
【産業上の利用可能性】
【００８７】
本発明にかかる文書処理装置は、特別な拡大操作を行うことなく、ページめくり画面上でページの内容を容易に判別することができる効果を有し、蓄積手段に蓄積された大量の文書の中から目的の文書を探し出す探索作業を支援する文書処理装置などとして有用である。
【図面の簡単な説明】
【００８８】
【図１】本発明が適用された文書管理システムを示すブロック図
【図２】図１に示したユーザ端末の表示装置に表示されるページめくり画面を示す図
【図３】図１に示したユーザ端末の表示装置に表示されるページめくり画面を示す図
【図４】図１に示したユーザ端末の表示装置に表示されるページめくり画面を示す図
【図５】図１に示したユーザ端末の表示装置に表示されるページめくり画面を示す図
【図６】図１に示したユーザ端末の表示装置に表示される関連文書画面を示す図
【図７】図１に示したユーザ端末の表示装置に表示される関連文書画面を示す図
【図８】図１に示した文書管理システムにおいて文書を登録する際の処理の手順を示すフロー図
【図９】図１に示したユーザ端末でのページめくりに先だって行われる処理の手順を示すフロー図
【図１０】図９に示したページめくり処理の手順を示すフロー図
【図１１】図９に示したページめくり処理の手順を示すフロー図
【符号の説明】
【００８９】
１      ユーザ端末（文書処理装置）
２      サーバ
３      スキャナ
４      複合機
１２    表示制御部（表示制御手段）
１３    表示装置（表示手段）
１５    キーボード（操作手段）
１６    マウス（操作手段）
２１    文書属性入力処理部
２２    文書絞込検索部
２３    重要ページ検索部
２４    関連文書検索部
２５    候補ページ保存部
３２    蓄積装置
４２    ページめくりボタン
４３    正転ボタン
４４    逆転ボタン
４５    スライダ
４６    関連検索ボタン
５１    検索条件ウィンドウ
６１    候補保存ウィンドウ
【図１】
2007066130.tif 000003
【図２】
2007066130.tif 000004
【図３】
2007066130.tif 000005
【図４】
2007066130.tif 000006
【図５】
2007066130.tif 000007
【図６】
2007066130.tif 000008
【図７】
2007066130.tif 000009
【図８】
2007066130.tif 000010
【図９】
2007066130.tif 000011
【図１０】
2007066130.tif 000012
【図１１】
2007066130.tif 000013